(57)【要約】【課題】エレベーターの設置後に電気機器を設置する場合の作業時間の短縮を図り、エレベーターの利用者、作業者の負担軽減を図ること。【解決手段】昇降路内を移動するカゴ（１０２）と、カゴ（１０２）の外側に設けられた電気回路と、電気回路に接続され、開口部がカゴ（１０２）の内側に配置された接栓座（２０５）と、を備え、接栓座（２０５）は、接栓座（２０５）を介して接続された電気機器（たとえば監視カメラ）４０１に対して、前記電気回路によって供給される電力を供給するようにしたエレベーターを構成した。このようなエレベーターによれば、エレベーターの設置後であっても電力の供給が必要な電気機器（たとえば監視カメラ）４０１を、容易かつ速やかに設置することができる。【選択図】図４
2019119610.tif 000002
【特許請求の範囲】
【請求項１】
昇降路内を移動するカゴと、
前記カゴの外側に設けられた電気回路と、
前記電気回路に接続され、開口部が前記カゴの内側に配置された接栓座と、
を備え、
前記接栓座は、当該接栓座を介して接続された電気機器に対して、前記電気回路によって供給される電力を供給することを特徴とするエレベーター。
【請求項２】
昇降路内を移動するカゴと、
前記カゴの外側に設けられた電気回路と、
前記電気回路に接続され、端子部が前記カゴの内側に配置された接栓と、
を備え、
前記接栓は、当該接栓を介して接続された電気機器に対して、前記電気回路によって供給される電力を供給することを特徴とするエレベーター。
【請求項３】
前記接栓は、前記電気機器に電力を供給するプラグであり、当該プラグを前記カゴの内側に突出するように配置することを特徴とする請求項２に記載のエレベーター。
【請求項４】
前記電気機器は、前記カゴの内側を監視する監視カメラであることを特徴とする請求項１〜３のいずれか一つに記載のエレベーター。
【発明の詳細な説明】
【技術分野】
【０００１】
この発明は、制御盤と通信が必要な電気機器を設置することができるエレベーターに関する。
【背景技術】
【０００２】
従来、複数階床の建物に設けられたエレベーターの監視カメラが撮像した画像は、たとえば、当該エレベーターを駆動制御する制御盤から、当該エレベーターの遠隔地に設置された管理サーバコンピュータなどに送信され、当該管理サーバコンピュータを介して管理センターなどにおいて監視することにより、エレベーターの利用者の安全を確保するようにしている。
【０００３】
このようなエレベーターにおいては、当該エレベーターの設置後に監視カメラを設置する場合、たとえば、当該監視カメラと制御盤とを接続するためのケーブルを配線するため、カゴに孔を空けていた。具体的には、従来、たとえば、配線穴と取り付け部を締結するビス用の穴とを天井に設けるようにした技術があった（たとえば、下記特許文献１を参照。）。
【先行技術文献】
【特許文献】
【０００４】
【特許文献１】特開２０１５−１６９３９号公報
【発明の概要】
【発明が解決しようとする課題】
【０００５】
しかしながら、上述した特許文献１を含む従来の技術は、エレベーターの設置後に、監視カメラなどの電気機器を設置する場合、当該監視カメラが撮像した画像データを制御盤に送信するために、監視カメラと制御盤とを接続するケーブルを配線するため、カゴに孔を空けなくてはならず、作業が煩雑であって時間がかかるという問題があった。
【０００６】
また、上述した従来の技術は、エレベーターの設置後に設置する電気機器を撤去した場合、ケーブルを配線するためにカゴに空けた孔が露出した状態となって美観を損ねるなどの不具合を回避するため、当該孔を塞ぐ補修作業をおこなわなくてはならず、作業が煩雑であって時間がかかるという問題があった。
【０００７】
この発明は、上述した従来技術による問題点を解消するため、エレベーターの設置後に電気機器を設置する場合の作業時間の短縮を図り、エレベーターの利用者や作業者の負担軽減を図ることができるエレベーターを提供することを目的とする。
【課題を解決するための手段】
【０００８】
上述した課題を解決し、目的を達成するため、この発明にかかるエレベーターは、昇降路内を移動するカゴと、前記カゴの外側に設けられた電気回路と、前記電気回路に接続され、開口部が前記カゴの内側に配置された接栓座と、を備え、前記接栓座が、当該接栓座を介して接続された電気機器に対して、前記電気回路によって供給される電力を供給することを特徴とする。
【０００９】
また、この発明にかかるエレベーターは、昇降路内を移動するカゴと、前記カゴの外側に設けられた電気回路と、前記電気回路に接続され、端子部が前記カゴの内側に配置された接栓と、を備え、前記接栓が、当該接栓を介して接続された電気機器に対して、前記電気回路によって供給される電力を供給することを特徴とする。
【００１０】
また、この発明にかかるエレベーターは、上記の発明において、前記接栓が、前記電気機器に電力を供給するプラグであり、当該プラグを前記カゴの内側に突出するように配置することを特徴とする。
【００１１】
また、この発明にかかるエレベーターは、上記の発明において、前記電気機器が、前記カゴの内側を監視する監視カメラであることを特徴とする。
【００１２】
また、この発明にかかるエレベーターは、昇降路内を移動するカゴと、前記カゴの外側に設けられ、当該カゴに設けられた負荷を制御する制御回路と、前記制御回路に接続され、開口部が前記カゴの内側に配置された接栓座と、を備え、前記接栓座が、当該接栓座を介して接続された電気機器と前記制御回路との間における信号の伝送をおこなうことを特徴とする。また、この発明にかかるエレベーターは、上記の発明において、前記接栓座が、あらかじめ通信規格が定められた所定のインターフェース規格にしたがって前記電気機器と前記制御回路との間における信号の伝送をおこなうことを特徴とする。また、この発明にかかるエレベーターは、上記の発明において、前記接栓座が、前記制御回路の制御によって供給される電力を、当該接栓座に接続された電気機器に対して供給することを特徴とする。
【００１３】
また、この発明にかかるエレベーターは、昇降路内を移動するカゴと、前記カゴの外側に設けられ、当該カゴに設けられた負荷を制御する制御回路と、前記制御回路に接続され、端子部が前記カゴの内側に配置された接栓と、を備え、前記接栓が、当該接栓を介して接続された電気機器と前記制御回路との間における信号の伝送をおこなうことを特徴とする。また、この発明にかかるエレベーターは、上記の発明において、前記接栓が、あらかじめ通信規格が定められた所定のインターフェース規格にしたがって前記電気機器と前記制御回路との間における信号の伝送をおこなうことを特徴とする。また、この発明にかかるエレベーターは、上記の発明において、前記接栓が、前記制御回路の制御によって供給される電力を、当該接栓に接続された電気機器に対して供給することを特徴とする。
【発明の効果】
【００１４】
この発明にかかるエレベーターによれば、エレベーターの設置後に電気機器を設置する場合の作業時間の短縮を図り、エレベーターの利用者や作業者の負担軽減を図ることができるという効果を奏する。
【図面の簡単な説明】
【００１５】
【図１】図１は、この発明にかかる実施の形態のエレベーターの構成を示す説明図である。
【図２】図２は、カゴおよびカゴに設けられた各部の一例を示す説明図である。
【図３】図３は、電気回路の構成を示すブロック図である。
【図４】図４は、接栓座の使用例を示す説明図である。
【図５】図５は、カゴおよびカゴに設けられた各部の別の一例を示す説明図である。
【図６】図６は、図５に示す接栓座の使用例を示す説明図である。
【発明を実施するための形態】
【００１６】
以下に添付図面を参照して、この発明にかかるエレベーターの好適な実施の形態を詳細に説明する。
【００１７】
（エレベーターの構成）
まず、この発明にかかる実施の形態のエレベーターの構成について説明する。図１は、この発明にかかる実施の形態のエレベーターの構成を示す説明図である。
【００１８】
図１において、この発明にかかる実施の形態のエレベーター１００は、たとえば、ロープ式（トラクション式）のエレベーター１００によって実現することができる。エレベーター１００は、たとえば、複数階建てのビルなどの建物内に設置される。
【００１９】
エレベーター１００が備える各部は、制御盤１０１によって駆動制御される。制御盤１０１は、エレベーター１００が備える各部と接続されており、たとえば、制御盤１０１からエレベーター１００が備える各部に対する信号、いわゆる「下り信号」を出力する。また、制御盤１０１は、たとえば、エレベーター１００が備える各部から制御盤１０１に対する信号、いわゆる「上り信号」を受け付ける。
【００２０】
さらに、制御盤１０１は、インターネットなどのネットワークを介して、管理サーバコンピュータ１５０に接続されている。管理サーバコンピュータ１５０は、監視対象となるエレベーター１００が設置されている場所とは異なる、当該エレベーター１００が設置されている場所から離れた遠隔地に設置されている。管理サーバコンピュータ１５０は、たとえば、エレベーター１００の保守管理を担う保守管理会社などに設置することができる。
【００２１】
制御盤１０１は、たとえば、管理サーバコンピュータ１５０に対して、発報用の信号を送信する。制御盤１０１は、たとえば、エレベーター１００において障害を検知した場合や、エレベーター１００の運転モードが変化した場合などに、発報用の信号を出力する。また、制御盤１０１は、管理サーバコンピュータ１５０から送信される診断動作の実行指示などの各種指示を受信し、受信した指示に応じた下り信号を、エレベーター１００が備える各部に対して出力する。
【００２２】
診断動作は、制御盤１０１からエレベーター１００が備える各部に対して、当該各部を所定の順序で動作させる信号を出力し、出力した信号にしたがって当該各部が正常に動作したか否かを示す信号を制御盤１０１から管理サーバコンピュータ１５０に対して出力することによって実現される。管理サーバコンピュータ１５０は、たとえば、定期的（たとえば、月の末日が到来するごと）に診断動作の実行指示を出力する。
【００２３】
制御盤１０１と管理サーバコンピュータ１５０とを、電話回線などの公衆音声網ではなくインターネットを介して接続することにより、地震などの天災発生時などの緊急時に電話回線がパンクすることに起因して、エレベーター１００の状況把握が遅延することを回避することができる。これにより、管理サーバコンピュータ１５０を用いてエレベーター１００を遠隔監視する状況において、当該エレベーター１００の動作に不具合が生じた場合に迅速な対応をとることができる。
【００２４】
制御盤１０１は、さらに、公衆音声網に接続されていてもよい。公衆音声網は、固定電話網（公衆交換電話網）および携帯電話網を含む。公衆音声網は、電話線を収容する加入者線交換機、加入者線交換機を束ねる中継交換機、ほかの事業者の電話網と接続する関門交換機など、図示を省略する複数の交換機によって構成されている。公衆音声網については、公知の技術であるため説明を省略する。制御盤１０１を公衆音声網に接続することにより、インターフォンの端末装置（図２を参照）と管理センターとの音声通信を実現することができる。
【００２５】
エレベーター１００は、建物における各階床を、鉛直方向に沿って貫通する昇降路（図示を省略する）を備えている。昇降路は、１台のエレベーター１００に１つずつ設けられている。昇降路内には、人や物品を搭載するカゴ（乗りカゴ）１０２が設けられている。カゴ１０２は、１台のエレベーター１００、すなわち、１つの昇降路に１つずつ設けられており、昇降路の方向すなわち鉛直方向に沿って昇降移動する。カゴ１０２は、図示を省略するカゴ枠によって支持されており、当該枠とともに昇降移動する。
【００２６】
昇降路の側面には、カゴ１０２（カゴ枠）の昇降位置をガイドするガイドレール（図示を省略する）が設けられている。昇降路の底部には、万一、カゴ１０２が落下して底面に衝突したときの衝撃を和らげる緩衝器１０３が設けられている。緩衝器１０３は、バネの弾性力を利用して衝撃を和らげるバネ式の緩衝器であってもよく、油圧抵抗を利用して衝撃を和らげる油入式の緩衝器であってもよい。緩衝器１０３は、昇降路の天井面にも設けられていてもよい。
【００２７】
昇降路における各階床に対応した位置（乗り場）１０４には、それぞれ扉１０４ａが設けられている。乗り場１０４に設けられた扉１０４ａは、図示を省略するインターロックなどと称される装置で施錠されている。インターロックは、カゴ１０２が停止階に到着した状態でカゴ１０２の扉１０２ａを開閉させるモーターを駆動した場合にのみ、カゴ１０２の扉１０２ａの開閉機構とかみ合って施錠を解放する。これにより、カゴ１０２が位置する階床における乗り場１０４に設けられた扉１０４ａのみを連動して開閉することができる。
【００２８】
各乗り場１０４には、それぞれ、操作盤１０５が設置されている。操作盤１０５は、それぞれ、乗り場呼びボタン１０５ａ、カゴ１０２が位置する階床などを表示する表示器１０５ｂなどを備えている。また、操作盤１０５は、それぞれ、操作盤１０５用の制御基板１０５ｃを備えている。各操作盤１０５は、それぞれが備える制御基板１０５ｃを介して制御盤１０１に接続されている。
【００２９】
カゴ１０２は、ロープ１０６の一端に連結されている。ロープ１０６は、つるべ式に滑車（図示を省略する）および巻上機（トラクションマシン）１０７に架けられ、他端がカウンタウエイト１０８に連結されている。ロープ１０６は、具体的には、たとえば、鋼鉄製のワイヤーによって実現することができる。
【００３０】
ロープ式のエレベーター１００における巻上機１０７は、たとえば、エレベーター１００の最上部に設けられた機械室に設置される。巻上機１０７は、機械室の有無にかかわらず、エレベーター１００における最上部に設けることができる。あるいは、エレベーター１００が、機械室がないタイプである場合、巻上機１０７は、エレベーター１００における下部に設けられるものであってもよい。
【００３１】
巻上機１０７は、たとえば、インバーター（図３を参照）を介して制御盤１０１に接続されており、カゴ１０２を停止させる階床において回転を停止するように制御盤１０１によって駆動制御される。ロープ式のエレベーター１００においては、巻上機１０７を駆動することによって発生する、ロープ１０６と滑車との間の摩擦力（トラクション）を利用して、カゴ１０２を昇降させる。
【００３２】
巻上機１０７は、図示を省略するエンコーダを備えており、制御盤１０１はエンコーダからの出力信号に基づいて、巻上機１０７の回転速度や回転位置を判断することができる。エンコーダは、たとえば、アブソリュートエンコーダを用いてもよく、インクリメンタルエンコーダを用いてもよい。
【００３３】
カゴ１０２の底部には、カウンタウエイト１０８の底部に一端が連結された重量バランス調整用のワイヤーロープ（あるいは、鎖）の他端が連結されている（図示を省略する）。これにより、たとえば、高層建築物に設置されるエレベーター１００において、ロープ１０６の重量に起因して、最上階や最下階の近辺においてカゴ１０２側とカウンタウエイト１０８側との重量のバランスの不均衡が生じてロープ１０６が巻上機１０７のシーブから滑り落ちてしまうことを確実に防止することができる。
【００３４】
また、エレベーター１００は、電磁ブレーキ１０９、調速機（ガバナマシン）１１０、リミットスイッチ１１１などを備えている。電磁ブレーキ１０９は、コイルを備え、制御盤１０１によって駆動制御されて当該コイルに通電することにより発生する電磁力を利用して、巻上機１０７の回転を停止する。電磁ブレーキ１０９は、巻上機１０７の回転を停止した状態を保持することができる。
【００３５】
電磁ブレーキ１０９は、停電などによって電源の供給が停止した場合に、巻上機１０７の回転を制止する。電磁ブレーキ１０９は、具体的には、たとえば、停電時などコイルへの通電が切れたときにスプリングの力で動作して巻上機１０７の回転を制止する無励磁作動型の電磁ブレーキ１０９を用いることができる。
【００３６】
調速機１１０は、カゴ１０２の速度超過を検出する。調速機１１０は、たとえば、ガバナロープ１１０ａ、ガバナプーリー１１０ｂ、回転錘（図示を省略する）などを備えた遠心調速機によって実現することができる。このような調速機１１０において、ガバナロープ１１０ａは、カゴ１０２の動作と連動する。ガバナプーリー１１０ｂは、ガバナロープ１１０ａの動作に連動して回転する。
【００３７】
回転錘は、ガバナプーリー１１０ｂの回転速度、すなわち、ガバナプーリー１１０ｂの回転に起因する遠心力の大きさに応じて動作する。具体的に、回転錘は、ガバナプーリー１１０ｂの回転速度が速い場合にガバナプーリー１１０ｂの外周側に開くように動作し、ガバナプーリー１１０ｂの回転速度が遅い場合にガバナプーリー１１０ｂの内周側に閉じるように動作する。
【００３８】
リミットスイッチ１１１は、巻上機１０７に対する電源の供給／遮断を切り替えるスイッチレバー（図示を省略する）を備えている。スイッチレバーは、平時は巻上機１０７に対して電源を供給する位置に位置付けられており、調速機１１０の回転錘に付勢された場合に、巻上機１０７に対する電源の供給を遮断する位置に変位する。
【００３９】
調速機１１０の回転錘は、カゴ１０２の昇降速度が、定格速度に対して一定速以上の速度になった場合に、スイッチレバーが巻上機１０７に対する電源の供給を遮断する位置に変位するように、スイッチレバーを付勢する。これにより、カゴ１０２に速度超過が発生したときに、巻上機１０７の動作を停止し、カゴ１０２を停止させることができる。
【００４０】
さらに、エレベーター１００は、図示を省略する非常停止装置を備えていてもよい。非常停止装置は、カゴ１０２の動作とガバナロープ１１０ａの動作とが異なる場合、すなわち、ガバナロープ１１０ａが停止しているにもかかわらずカゴ１０２が動作している場合に、カゴ１０２の動作を強制的に停止させる。非常停止装置は、公知の各種の技術を用いて容易に実現することができるため、説明を省略する。
【００４１】
カゴ１０２には、操作盤１０２ｂが設けられている。操作盤１０２ｂは、各種の操作ボタン２０１や、カゴ１０２が位置する階床などを表示する表示器を備えている（図２を参照）。また、カゴ１０２には、扉１０２ａを開閉させるモーター、扉開閉センサ、障害物検出装置、荷重センサなどの各種のセンサ（図３を参照）やブザー（図示を省略する）などが設けられている。
【００４２】
カゴ１０２の上部には、カゴ上ボックス１１２が設けられている。カゴ上ボックス１１２は、たとえば、カゴ１０２の天井板の上、すなわち、カゴ１０２の外側に設けられる。カゴ上ボックス１１２には、電源回路や制御回路などを備えた電気回路が収容されている。操作盤１０２ｂ、扉１０２ａを開閉させるモーター、扉開閉センサ、障害物検出装置、荷重センサなどの各種のセンサやブザーなど、カゴ１０２に設けられた各種の負荷は、カゴ上ボックス１１２が収容する電気回路に接続されている。電気回路については、説明を後述する（図３を参照）。
【００４３】
扉１０２ａを開閉させるモーターは、正逆方向に回転可能であって、たとえば、扉１０２ａを開く際に正方向に回転し、扉１０２ａを閉める際に逆方向に回転する。扉１０２ａを開閉させるモーターは、たとえば、カゴ１０２の天井板の上に設けられている。扉開閉センサは、扉１０２ａの開閉状態を検出する。扉開閉センサは、たとえば、扉１０２ａや扉１０４ａが開状態にあるか閉状態にあるかに応じて出力が変化するマイクロスイッチや光電センサなどによって実現することができる。
【００４４】
障害物検出装置は、対をなす扉１０２ａの間における人などの物体の挟まりを検知する。具体的に、障害物検出装置は、たとえば、対をなす扉１０２ａの間に設けられて、扉１０２ａの開き方向に突出するように付勢されたセーフティーシューや、当該セーフティーシューが扉１０２ａの内側に押し込まれた場合に、対をなす扉１０２ａの間における物体の挟まりを検知したことを示す信号を出力するマイクロスイッチなどによって構成することができる。
【００４５】
荷重センサは、カゴ１０２における積載荷重を検出する。具体的に、荷重センサは、たとえば、ロードセルによって実現することができる。ロードセルは、たとえば、カゴ１０２の底部とカゴ枠との間に設けられる。ブザーは、荷重センサの検出結果に応じてブザー音を出力する。ブザーは、カゴ１０２における積載荷重（質量）が、当該カゴ１０２にかかる定格積載荷重（質量）などの所定の質量を超過した場合にブザー音を出力する。
【００４６】
（カゴ１０２およびカゴ１０２に設けられた各部の一例）
つぎに、カゴ１０２およびカゴ１０２に設けられた各部の一例について説明する。図２は、カゴ１０２およびカゴ１０２に設けられた各部の一例を示す説明図である。
【００４７】
図２において、カゴ１０２に設けられた操作盤１０２ｂは、上記のように、カゴ１０２の行先階を指定する行先階ボタンや、扉１０２ａの開閉を指示する扉開閉ボタンなどを含む操作ボタン２０１を備えている。また、操作盤１０２ｂは、カゴ１０２が位置する階床などを表示する表示器２０２を備えている。操作盤１０２ｂは、たとえば、カゴ１０２の内側の壁面であって、カゴ１０２の扉１０２ａの近傍に設けられている。
【００４８】
操作盤１０２ｂは、操作盤１０２ｂ用の制御基板（図３を参照）を備えている。操作盤１０２ｂ用の制御基板は、たとえば、操作盤１０２ｂにおいて、エレベーター１００の利用者などによる操作ボタン２０１に対する入力操作を受け付けるごとに、当該入力操作に応じた呼び信号を生成し、生成した呼び信号を出力する。また、操作盤１０２ｂ用の制御基板は、表示器２０２を制御して、カゴ１０２が位置する階床を表示したり、移動方向を表示したりする。
【００４９】
カゴ１０２には、インターフォンの端末装置２０３が設けられている。インターフォンの端末装置２０３は、呼出ボタンとマイクとスピーカーとを備えている（いずれも図示を省略する）。インターフォンの端末装置２０３におけるマイクやスピーカーは、図２に示すように、操作盤１０２ｂに一体的に組み込まれていてもよい。インターフォンの端末装置２０３は、たとえば、カゴ上ボックス１１２が収容する電気回路を介して制御盤１０１に接続されている。
【００５０】
また、カゴ１０２には、カゴ１０２の内部の空間を照明する照明器具２０４や換気装置（図示を省略する）が設けられている。照明器具２０４は、たとえば、カゴ１０２の天井に設けることができ、具体的には、電球（白熱灯）や、蛍光灯、ＬＥＤ（Ｌｉｇｈｔ  Ｅｍｉｔｔｉｎｇ  Ｄｉｏｄｅ）など公知の各種の光源を用いることができる。
【００５１】
換気装置は、カゴ１０２に設けられて、カゴ１０２の内部と外部とを連通するスリット（図示を省略する）を介して、カゴ１０２内の空気を換気するファン（図示を省略する）を備えている。照明器具２０４や換気装置などの負荷も、カゴ１０２に設けられた各種の負荷と同様に、カゴ上ボックス１１２が収容する電気回路に接続されている。
【００５２】
さらに、カゴ１０２には、接栓座２０５が設けられている。接栓座２０５は、たとえば、互いに離間可能に接合するレセクタブルとプラグによって構成されるコネクタ対のうちの、レセクタブルによって実現することができる。接栓座２０５を実現するレセクタブルの開口部は、カゴ１０２の内側に配置されている。
【００５３】
図２に示すように、接栓座２０５を実現するレセクタブルの開口部がカゴ１０２内に露出している場合、当該接栓座２０５は、カゴ１０２内の高い位置に接栓座２０５を配置することが好ましい。このように、カゴ１０２内に露出した接栓座２０５をカゴ１０２内の高い位置に配置することにより、雨天時に傘や衣服から飛んだ水滴が付着したり、子供による悪戯を防止することができる。
【００５４】
接栓座２０５は、さらに、カゴ上ボックス１１２が収容する電気回路から供給される電源を、当該接栓座２０５に接続された電気機器４０１（図４を参照）に対して供給する機能を備えることが好ましい。具体的には、たとえば、信号伝送用の配線に加えて、電源供給用の配線を備えたレセクタブルを用いることによって、接栓座２０５に接続された電気機器に対して電源を供給する機能を実現することができる。
【００５５】
接栓座２０５を実現するレセクタブルは、当該レセクタブルに接続されている電気機器４０１の動作中に抜き差しすることができるホットプラグによって実現することが好ましい。また、接栓座２０５を実現するレセクタブルは、さらに、制御回路３２０（図３を参照）を介して電気機器４０１への給電をおこなうことができることが好ましい。
【００５６】
より具体的に、この発明にかかる実施の形態の接栓座２０５を実現するレセクタブルは、所定のインターフェース規格、たとえば、ＵＳＢ規格にしたがってＵＳＢコネクタによって実現することができる。これにより、電気機器をＵＳＢコネクタに接続に接続するだけで、制御回路と電気機器との通信と、制御回路から電気機器への電源の供給とを実現することができる。
【００５７】
接栓座２０５を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００５８】
また、接栓座２０５を実現するレセクタブルは、ＵＳＢインターフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００５９】
ＩＥＥＥ  １３９４コネクタは、高速シリアル・バス規格であって映像・マルチメディアデータの転送に適している。このため、カゴ１０２にＩＥＥＥ  １３９４コネクタ（レセクタブル）を設けることにより、ディスプレイやデジタルカメラなど、画像データのような容量の大きなデータ転送をおこなう電気機器を接続し、当該電気機器との円滑な通信を実現することができる。
【００６０】
ＰＳ／２コネクタは、６ピンの入出力インターフェースであって、ＰＣ／ＡＴ互換機に搭載されている。ＰＳ／２コネクタは、制御回路と電気機器の間で同期式のシリアル方式で通信することができる。また、ＰＳ／２コネクタを介して制御回路に接続される電気機器に対して、５Ｖで電源を供給することができる。これにより、ＰＳ／２コネクタ（レセクタブル）を介して制御回路に接続される電気機器を駆動することができる。
【００６１】
Ｄ−Ｓｕｂコネクタは、棒状の信号送信用の端子（ピン）を複数備え、多芯ケーブルの接続に使用されるコネクタであって、たとえば、ネジなどを用いて電気機器に固定することができる。端子の数は、回線の種類により端子数は異なる。たとえば、９ピンＤ−ｓｕｂコネクタの場合、クロスケーブルでは信号が不足するために結線されない９番端子（ＣＩ）を用いて、５Ｖの電源供給をおこなうことができる。これにより、Ｄ−Ｓｕｂコネクタ（レセクタブル）を介して制御回路に接続される電気機器を駆動することができる。
【００６２】
ＤＩＮコネクタは、略丸形の環形状をなす金属シールドの内側に配置された２〜８ピンの信号ピンを備えている。ＤＩＮコネクタにおける金属シールドは、一部が内周側に凹んだ形状をなしており、この凹みによって信号ピンが誤ったジャックに入ることを防ぐことができる。
【００６３】
同軸コネクタは、同軸ケーブルのコネクタであって、具体的には、たとえば、ＢＮＣコネクタ（Ｂａｙｏｎｅｔ  Ｎｅｉｌｌ−Ｃｏｎｃｅｌｍａｎ  ｃｏｎｎｅｃｔｏｒ）によって実現することができる。バヨネット機構（ｂａｙｏｎｅｔ  ｍｏｕｎｔ）を採用することにより、簡単な操作で着脱でき、内蔵されたバネの力でしっかりと固定できる。
【００６４】
同軸コネクタは、映像機器や通信機器などで広く普及しており、接栓座２０５を実現するレセクタブルを同軸コネクタによって実現することにより、エレベーター１００の設置後であっても、エレベーター１００において、監視カメラなどのような画像データを扱う電気機器を容易かつ速やかに設置することができる。
【００６５】
接栓座２０５を実現するレセクタブルは、１つのカゴ１０２に１つ設けられていてもよく、１つのカゴ１０２に複数設けられていてもよい。１つのカゴ１０２に複数の接栓座２０５を実現するレセクタブルを設ける場合、通信Ｉ／Ｆのコネクタは１種類であってもよく、複数種類であってもよい。
【００６６】
接栓座２０５を実現するレセクタブルは、たとえば、当該接栓座２０５を実現するレセクタブルの端部がカゴ１０２の内壁面と同一面内に位置するように配置する。あるいは、接栓座２０５を実現するレセクタブルは、たとえば、制御回路と接栓座２０５を実現するレセクタブルとを接続する電線（ケーブル）の一部とともに、カゴ１０２の内側に突出するようにして配置してもよい。
【００６７】
接栓座２０５を実現するレセクタブルを、カゴ１０２の内側に突出するようにして配置する場合、当該レセクタブルと制御回路とを接続する電線（ケーブル）を、コイルバネや引っ張りバネなどを用いて、カゴ１０２の外側へ付勢する（引っ張る）ようにしてもよい。
【００６８】
これにより、接栓座２０５を実現するレセクタブルの不使用時には当該レセクタブルをカゴ１０２の内側に突出させないようにすることができる。この場合、カゴ１０２の外側へ引っ張られるレセクタブルが、カゴ１０２の外側へ抜けてしまわないようにストッパ（図示を省略する。）を設けることが好ましい。ストッパは、たとえば、突起などによって実現することができる。
【００６９】
（電気回路の構成）
つぎに、電気回路の構成について説明する。図３は、電気回路の構成を示すブロック図である。図３において、電気回路３００は、電源回路３１０と、制御回路３２０と、を備えている。電源回路３１０は、ＡＣ電源に接続され、変圧器３１１、整流回路３１２、平滑回路３１３、定電圧回路３１４を備えている。
【００７０】
変圧器３１１は、ＡＣ電源から入力されるＡＣ電圧を、所定のＡＣ電圧に変換する。変圧器３１１は、ＡＣ電源から入力されるＡＣ電圧を、あらかじめ設定された所定のＡＣ電圧に変換する。整流回路３１２は、変圧器３１１によって変圧されたＡＣ電圧をＤＣ電圧に変換する。平滑回路（フィルタ）３１３は、整流回路３１２によって変換された、振幅のあるＤＣ電源を直線的に平滑化する。平滑回路３１３は、このような、整流回路３１２によって変換されたＤＣ電源が含むＡＣ成分（リップル）による波形の歪みを平滑化する。
【００７１】
定電圧回路３１４は、平滑回路から出力されるＤＣ電源を監視して、当該ＤＣ電源と基準となる電圧とを比較して差が生じる場合に、トランジスタの出力電圧を制御する。これにより、平滑回路３１３から出力されるＤＣ電源が、電源回路３１０に接続される負荷や環境に応じて変化するという不安定な要素を緩和することができ、出力するＤＣ電源の電圧を一定に保つことができる。
【００７２】
カゴ１０２に設けられた各負荷は、直接、あるいは、スイッチ３３１、インバーター３３２、整流回路３３３、変圧器３３４などを介して、それぞれＡＣ電源に接続されている。インバーター３３２は、コンバーター回路３３２ａと、コンデンサ３３２ｂと、インバーター回路３３２ｃと、を備えている。これにより、ＡＣ電源を直接、あるいは、スイッチ３３１、インバーター３３２などを介して各負荷に供給することができる。あるいは、整流回路によって変換したＤＣ電源を、各負荷に供給することができる。
【００７３】
ＡＣ電源、あるいは、ＡＣ電源を変圧したＤＣ電源からの電源供給を受ける負荷は、具体的には、たとえば、扉１０２ａを開閉させるモーター３４０、扉開閉センサ・障害物検出装置・荷重センサなどの各種のセンサ３４１やブザーなどの負荷によって実現することができる。また、ＡＣ電源、あるいは、ＡＣ電源を変圧したＤＣ電源からの電源供給を受ける負荷は、スイッチ３３１やインバーター３３２を含んでいてもよい。
【００７４】
図３においては、リップル含有率が小さく、ノイズが少ないことから非常に安定性が高いシリーズ電源にかかる電源回路３１０について説明したが、これに限るものではない。たとえば、シリーズ電源に代えて、スイッチング電源を用いてもよい。シリーズ電源に代えてスイッチング電源を用いることにより、ＡＣ入力を直接電圧変換するための大きなトランスを不要とし、電圧安定化回路の放熱を抑制して効率の低下や発熱を抑えることができ、入力電圧の許容範囲を広くすることができる。
【００７５】
制御回路３２０は、制御盤１０１やカゴ１０２に設けられた各負荷と接続されている。制御回路３２０は、制御盤１０１から出力される下り信号に応じてカゴ１０２に設けられた各負荷を駆動制御したり、カゴ１０２に設けられた各負荷からの出力信号に応じた上り信号を、制御盤１０１に出力したりする。具体的に、制御回路３２０は、それぞれバスによって接続される入力端子３２１と、出力端子３２２と、ＣＰＵ（Ｃｅｎｔｒａｌ  Ｐｒｏｃｅｓｓｉｎｇ  Ｕｎｉｔ）３２３と、メモリ３２４と、通信Ｉ／Ｆ（ＩｎｔｅｒＦａｃｅ）３２５と、によって構成することができる。
【００７６】
入力端子３２１は、制御回路３２０に接続される各負荷とＣＰＵ３２３とを接続するハードウエアインターフェースであって、制御回路３２０に接続された各負荷から出力される信号の入力を受け付け、入力を受け付けた信号をＣＰＵ３２３に出力する。また、入力端子３２１は、制御盤１０１と接続されている。
【００７７】
具体的に、入力端子３２１は、たとえば、操作盤１０２ｂ用の制御基板から出力される呼び信号や、扉開閉センサなどの各種センサから出力される信号など、上り信号の入力を受け付ける。また、具体的に、入力端子３２１は、制御盤１０１から出力される下り信号の入力を受け付け、入力を受け付けた信号をＣＰＵ３２３に出力する。
【００７８】
出力端子３２２は、制御回路３２０に接続された各負荷とＣＰＵ３２３とを接続するハードウエアインターフェースであって、ＣＰＵ３２３から出力される信号を制御回路３２０に接続された各負荷に出力する。また、出力端子３２２は、制御盤１０１と接続されており、各負荷から出力された信号に基づいてＣＰＵ３２３から出力される信号を、制御盤１０１に出力する。
【００７９】
具体的に、出力端子３２２は、たとえば、制御盤１０１から出力された制御用の下り信号に基づいてＣＰＵ３２３から出力された信号を、カゴ１０２の扉１０２ａや乗り場１０４の扉１０４ａを開閉させるモーター３４０に対して出力する。カゴ１０２の扉１０２ａや乗り場１０４の扉１０４ａを開閉させるモーター３４０は、インバーター３３２を介して、制御回路３２０に接続されていてもよい。これにより、カゴ１０２の扉１０２ａや乗り場１０４の扉１０４ａをなめらかに開閉させることができる。
【００８０】
また、具体的に、出力端子３２２は、たとえば、扉開閉センサなどの各種センサから出力される信号に基づいてＣＰＵ３２３から出力された信号を、制御盤１０１に対して出力する。また、具体的に、出力端子３２２は、たとえば、スイッチ３３１やインバーター３３２を介して、照明器具２０４と接続されている。
【００８１】
ＣＰＵ３２３は、カゴ１０２に設けられて、制御回路３２０に接続された各負荷を制御する。メモリ３２４は、制御盤１０１との通信や、カゴ１０２に設けられた各負荷の制御に用いるプログラムやデータなどを記憶している。ＣＰＵ３２３は、たとえば、入力端子３２１を介して入力された信号に基づいて、メモリ３２４に記憶されたプログラムやデータなどを用いた演算処理をおこなう。また、ＣＰＵ３２３は、たとえば、演算処理の結果に基づく信号を、出力端子３２２を介して、制御盤１０１やカゴ１０２に設けられた各負荷に出力する。
【００８２】
具体的に、ＣＰＵ３２３は、たとえば、制御盤１０１から出力され入力端子３２１を介して受け付けた下り信号に基づいて、カゴ１０２の扉１０２ａや乗り場１０４の扉１０４ａを開閉させるモーター３４０を制御する制御信号を出力端子３２２を介して出力することにより、当該モーター３４０を制御する。これにより、モーター３４０を駆動して、カゴ１０２の扉１０２ａや乗り場１０４の扉１０４ａを開閉させることができる。
【００８３】
また、具体的に、ＣＰＵ３２３は、たとえば、制御盤１０１から出力され入力端子３２１を介して入力を受け付けた信号に基づいて、カゴ１０２が位置する階床やカゴ１０２の走行方向（上昇中か下降中か）を表示器２０２において表示させる信号を生成し、生成した信号を、出力端子３２２を介して、操作盤１０２ｂ用の制御基板に対して出力する。これにより、表示器２０２において、カゴ１０２が位置する階床やカゴ１０２の走行方向を表示させることができる。
【００８４】
また、具体的に、ＣＰＵ３２３は、たとえば、扉開閉センサから出力され入力端子３２１を介して入力を受け付けた信号に基づいて、カゴ１０２の扉１０２ａや乗り場１０４の扉１０４ａの開閉状態を示す信号を生成し、生成した信号を、出力端子３２２を介して制御盤１０１に対して出力する。これにより、制御盤１０１において、カゴ１０２の扉１０２ａや乗り場１０４の扉１０４ａの開閉状態を認識することができ、カゴ１０２の扉１０２ａや乗り場１０４の扉１０４ａの開閉状態が確実に閉まっている状態で巻上機１０７を駆動することができる。
【００８５】
また、具体的に、ＣＰＵ３２３は、たとえば、扉開閉センサから出力され入力端子３２１を介して入力を受け付けた信号に基づいて、カゴ１０２が所定時間継続して動作していない、すなわち、待機状態が所定時間継続したと判断した場合、出力端子３２２を介してスイッチ３３１やインバーター３３２に対して制御信号を出力し、操作盤１０２ｂ、照明器具２０４、換気装置への電力の供給を停止して、節電状態とする。
【００８６】
通信Ｉ／Ｆ３２５は、カゴ１０２に設けられる接栓座２０５と接続され、接栓座２０５に接続された電気機器と制御回路３２０との通信をつかさどる。接栓座２０５は、たとえば、通信Ｉ／Ｆ３２５と接続可能なコネクタを一端に備えた電線（ケーブル）の他端に設けられていてもよい。あるいは、接栓座２０５は、はんだ付け、圧着、融着などによって制御回路３２０に一体化された電線（ケーブル）の先端に設けられていてもよい。
【００８７】
ＣＰＵ３２３は、通信Ｉ／Ｆ３２５を介した、接栓座２０５に接続された電気機器との通信を、所定の条件が整った場合にのみ、おこなうものであってもよい。具体的には、ＣＰＵ３２３は、たとえば、操作盤１０２ｂに対して所定の操作がおこなわれた場合にのみ、通信Ｉ／Ｆ３２５を介した、接栓座２０５に接続された電気機器との通信をおこなう。より具体的には、ＣＰＵ３２３は、たとえば、所定の操作ボタン２０１があらかじめ定められた順番で操作された場合にのみ、通信Ｉ／Ｆ３２５を介した、接栓座２０５に接続された電気機器との通信をおこなうようにしてもよい。
【００８８】
あるいは、制御盤１０１から、接栓座２０５に接続された電気機器との通信を指示する下り信号を受け付けた場合にのみ、通信Ｉ／Ｆ３２５を介した、接栓座２０５に接続された電気機器との通信をおこなうようにしてもよい。この場合、制御盤１０１は、たとえば、エレベーター１００の状態に基づいて、接栓座２０５に接続された電気機器との通信を指示する下り信号を出力することができる。あるいは、この場合、制御盤１０１は、たとえば、管理サーバコンピュータ１５０から所定の指示を受信したことに応じて、接栓座２０５に接続された電気機器との通信を指示する下り信号を出力してもよい。
【００８９】
また、接栓座２０５に接続された電気機器との通信を、所定の条件が整った場合にのみおこなう場合、接栓座２０５に接続された電気機器との通信を可能とする時間を制限してもよい。具体的には、たとえば、所定の条件が整ってから所定時間の間のみ、接栓座２０５に接続された電気機器との通信を可能としてもよい。
【００９０】
（接栓座２０５の使用例）
つぎに、接栓座２０５の使用例について説明する。図４は、接栓座２０５の使用例を示す説明図である。図４に示すように、接栓座２０５を実現するレセクタブルの開口部が、カゴ１０２の内側に配置されているため、エレベーター１００の設置後に、カゴ１０２の内側を監視する監視カメラを電気機器４０１として、容易に設置することができる。
【００９１】
また、図４に示すように、接栓座２０５を、カゴ１０２内の高い位置に配置することにより、雨天時に傘や衣服から飛んだ水滴が付着したり、子供による悪戯を防止することができる。
【００９２】
接栓座２０５を実現するレセクタブルは、電気機器４０１が備えるプラグ、あるいは、一端が電気機器４０１に接続されたケーブルの他端に設けられたプラグが挿入されることにより、当該電気機器４０１と制御回路３２０とを接続する。そして、接栓座２０５を実現するレセクタブルは、ＵＳＢ規格などの所定のインターフェース規格にしたがって、レセクタブルを介して接続された電気機器４０１と制御回路３２０との間における信号の伝送、すなわち通信をおこなう。
【００９３】
これにより、エレベーター１００の設置後に、カゴ１０２の内部に設置した電気機器４０１と制御回路３２０との間における信号の伝送、すなわち通信をおこなうことができる。そして、電気機器４０１と制御回路３２０との間において通信をおこなうことにより、汎用的な電気機器４０１をエレベーター１００の動作に連動させることができる。
【００９４】
（カゴ１０２およびカゴ１０２に設けられた各部の別の一例）
つぎに、カゴ１０２およびカゴ１０２に設けられた各部の別の一例について説明する。図５は、カゴ１０２およびカゴ１０２に設けられた各部の別の一例を示す説明図である。
【００９５】
上述した図２においては、接栓座２０５がカゴ１０２内において露出している態様について説明したが、接栓座２０５の配置は、別の態様であってもよい。具体的には、図５に示すように、カゴ１０２の壁面にカバー５０１を設け、当該カバー５０１によって接栓座２０５を覆うようにしてもよい。これにより、接栓座２０５を実現するレセクタブルに電気機器４０１を接続しない場合は、当該コネクタをカバー５０１で覆い、掃除などに際して接栓座２０５を実現するレセクタブルに水分や異物が入ることに起因するレセクタブルや電気回路３００などの故障を効果的に防止することができる。
【００９６】
このようなカバー５０１を設ける場合、接栓座２０５を実現するレセクタブルは、たとえば、図５に示すように、エレベーター１００の利用者の手が容易に届く高さに設けることが好ましい。接栓座２０５を実現するレセクタブルをエレベーター１００の利用者の手が容易に届く高さに設けることにより、利用者に対して、接栓座２０５を利用しやすくすることができる。
【００９７】
また、カバー５０１は、ロック機構を備えていてもよい。ロック機構は、鍵を差し込むことによって解錠／施錠する構成であってもよく、ＣＰＵ３２３の制御によって解錠／施錠する構成であってもよい。ＣＰＵ３２３の制御によってカバー５０１を解錠／施錠するロック機構は、具体的には、たとえば、ソレノイドロックによって実現することができる。
【００９８】
ＣＰＵ３２３によりロック機構を制御することによってカバー５０１を解錠／施錠する構成においては、所定の条件が整った場合にのみ、ロック機構によるカバー５０１の施錠を解除（解錠）するようにしてもよい。具体的に、たとえば、ソレノイドロックにおいては、所定の条件が整った場合にのみ、ソレノイドロックが備えるソレノイドへの通電のＯＮ／ＯＦＦを切り替えることにより、所定の条件が整った場合にのみロック機構によるカバー５０１の施錠を解除（解錠）することができる。
【００９９】
より具体的には、ＣＰＵ３２３は、たとえば、操作盤１０２ｂに対して所定の操作がおこなわれた場合や、エレベーター１００の状態や管理サーバコンピュータ１５０から所定の指示に応じて制御盤１０１からロック解除を指示する下り信号を受け付けた場合にのみ、ソレノイドへの通電のＯＮ／ＯＦＦを切り替えて、ロック機構によるカバー５０１の施錠を解除することができる。
【０１００】
また、カバー５０１にロック機構を設ける場合、カバー５０１を開く方向に付勢するバネなどの付勢部材をさらに設け、ロック機構によるロックの解除に応じてカバー５０１が開くようにしてもよい。これにより、接栓座２０５が有効に使用できることを、容易かつ確実に知らせることができる。
【０１０１】
このように、ＣＰＵ３２３の制御によって施錠／解錠するロック機構をカバー５０１に設けることにより、接栓座２０５を実現するレセクタブルをエレベーター１００の利用者の手が容易に届く高さに設ける場合にも、接栓座２０５を実現するレセクタブルに対する悪戯などを防止することができる。
【０１０２】
（接栓座２０５の使用例）
つぎに、図５に示す接栓座２０５の使用例について説明する。図６は、図５に示す接栓座２０５の使用例を示す説明図である。図５に示すように、接栓座２０５を保護するカバー５０１を設けることにより、たとえば、地震に起因して、利用者６００がカゴ１０２内にいる状態でエレベーター１００の動作が停止した際などの非常時に、利用者６００の携行するスマートフォンやタブレットなどの電気機器４０１と制御回路３２０とを接続することができ、当該制御回路３２０を介して、利用者と外部との通信を確保することができる。これにより、利用者は安心して救助を待つことができ、利用者の利便性の向上を図ることができる。
【０１０３】
なお、上述した実施の形態における各例においては、互いに離間可能に接合するレセクタブルとプラグによって構成されるコネクタ対のうちの、レセクタブルによって接栓座２０５を実現する場合について説明したが、この発明にかかる接栓座２０５はレセクタブルによって実現するものに限らない。この発明にかかる接栓座２０５は、互いに離間可能に接合するレセクタブルとプラグによって構成されるコネクタ対のうち、この発明にかかる接栓を実現するプラグによって実現してもよい。具体的には、たとえば、Ｍｉｃｒｏ  ＵＳＢコネクタのプラグやＵＳＢ  Ｔｙｐｅ−Ｃコネクタのプラグによって、この発明にかかる接栓座２０５を実現するプラグを実現することができる。
【０１０４】
この発明にかかる接栓をプラグによって実現する場合、当該プラグの端部がカゴ１０２の内壁面と同一面内に位置するように配置してもよく、プラグをカゴ１０２の内側に突出するようにして配置してもよい。また、プラグをカゴ１０２の内側に突出するようにして配置する場合、当該プラグと制御回路３２０とを接続する電線（ケーブル）を、コイルバネや引っ張りバネなどを用いて、カゴ１０２の外側へ付勢する（引っ張る）ようにしてもよい。
【０１０５】
（接栓座２０５の別の使用例）
つぎに、上述した図２や図５に示す接栓座２０５の別の使用例について説明する。接栓座２０５には、監視カメラに代えて、表示画面を備えた汎用的な端末装置を電気機器４０１として接続することができる。具体的には、たとえば、薄い板状の筐体の一面側に、液晶ディスプレイなどによって実現される表示画面を備えたタブレット型の端末装置を電気機器４０１として接続することができる。
【０１０６】
エレベーター１００は、上記のように、エレベーター１００の保守管理を担う保守管理会社の管理サーバコンピュータ１５０に接続されている。このため、接栓座２０５を介して、電気機器４０１を実現するタブレット型の端末装置と制御回路３２０とを接続することによって、電気機器４０１の表示画面に、保守管理会社においてエレベーター１００の状態を監視している作業員の画像を表示させることができる。
【０１０７】
作業員の画像は、たとえば、インターフォンの端末装置２０３の呼出ボタンが操作された場合に、電気機器４０１を実現するタブレット型の端末装置の表示画面に表示させる。これにより、災害や故障などの発生によってカゴ１０２内に利用者６００が閉じ込められた場合にも、当該利用者６００に対して、音声とともに画像を用いてエレベーター１００の状況や周囲の状況（災害の状況など）を知らせることができる。そして、これにより、エレベーター１００の状況や周囲の状況（災害の状況など）を、音声のみによって利用者６００に知らせる場合と比べて、利用者６００に対して確実な安心感を与えることができる。
【０１０８】
また、接栓座２０５には、表示画面と撮像装置とを備えた汎用的な端末装置を電気機器４０１として接続してもよい。撮像素子は、レンズや、当該レンズを介して入射した光を受光して光電変換する撮像素子を備えている。具体的には、たとえば、薄い板状の筐体の一面側に、液晶ディスプレイなどによって実現される表示画面と、当該表示画面の周囲のいずれかの位置に配置されたレンズや撮像素子によって構成される撮像装置と、を備えたタブレット型の端末装置を電気機器４０１として接続することができる。
【０１０９】
このような表示画面と撮像装置とを備えたタブレット型の端末装置によって実現される電気機器４０１と、制御回路３２０と、を接栓座２０５を介して接続することによって、電気機器４０１の表示画面に保守管理会社の作業員の画像を表示させるとともに、撮像装置によって撮像されたカゴ１０２内の画像（利用者６００の画像）を管理サーバコンピュータ１５０に送信することができる。
【０１１０】
これにより、カゴ１０２内の利用者６００と、保守管理会社の作業員との間で画像と音声とを用いた双方向通信をおこなうことができる。そして、これにより、利用者６００に対して確実な安心感を与えることができるとともに、利用者６００の説明では理解が難しいカゴ１０２内の状況を作業員が画像によって確認することができる。これにより、緊急な救助が必要な利用者６００を迅速に救助することができ、利用者の利便性を確保することができる。
【０１１１】
このような、接栓座２０５を介して接続されるタブレット型の端末装置などの、表示画面や撮像装置を備えた電気機器４０１は、操作盤１０２ｂに一体に設けてもよい。すなわち、電気機器４０１が備える表示画面が操作盤１０２ｂの端面と面一となるように揃えた状態で、当該電気機器４０１を取り付けてもよい。
【０１１２】
表示器２０２を液晶ディスプレイによって実現しているエレベーター１００においては、保守管理会社においてエレベーター１００の状態を監視している作業員の画像を表示器２０２に表示させ、電気機器４０１を実現する監視カメラによって撮像された画像を制御回路３２０を介して管理サーバコンピュータ１５０に送信するようにしてもよい。
【０１１３】
以上説明したように、この発明にかかる実施の形態のエレベーター１００は、昇降路内を移動するカゴ１０２と、カゴ１０２の外側に設けられ、当該カゴ１０２に設けられた負荷（３３１〜３３４、３４０、３４１など）を制御する制御回路３２０と、制御回路３２０に接続され、開口部がカゴ１０２の内側に配置された接栓座２０５と、を備え、接栓座２０５が、当該接栓座２０５を介して接続された電気機器４０１と制御回路３２０との間における信号の伝送をおこなうことを特徴としている。
【０１１４】
この発明にかかる実施の形態のエレベーター１００によれば、エレベーター１００の設置後であっても制御回路３２０による制御が必要な電気機器４０１を、容易かつ速やかに設置することができるので、電気機器４０１を設置する作業者の負担軽減を図ることができる。
【０１１５】
これにより、エレベーター１００の設置後に電気機器４０１を設置する場合の作業時間の短縮を図り、エレベーター１００の利用者、作業者の負担軽減を図ることができる。また、作業時間の短縮を図ることにより、作業のためにエレベーター１００が使用できない時間を短くすることができ、エレベーター１００の利用者の利便性が低下することを抑制できる。
【０１１６】
このように、この発明にかかる実施の形態のエレベーター１００によれば、エレベーターの設置後に電気機器を設置する場合の作業時間の短縮を図り、エレベーターの利用者や作業者の負担軽減を図ることができる。
【０１１７】
また、この発明にかかる実施の形態のエレベーター１００は、接栓座２０５が、あらかじめ通信規格が定められた所定のインターフェース規格にしたがって電気機器４０１と制御回路３２０との間における信号の伝送をおこなうことを特徴としている。
【０１１８】
この発明にかかる実施の形態のエレベーター１００によれば、あらかじめ通信規格が定められた所定のインターフェース規格にしたがうことにより、当該通信規格にしたがって通信をおこなう汎用的な電気機器４０１を接続し、当該電気機器４０１と制御回路３２０との通信をおこなうことができる。これにより、エレベーター１００の設置後に、特殊な通信規格にしたがって通信をおこなう専用機器を用意することなく、汎用的な電気機器４０１と制御回路３２０とを接続することができる。
【０１１９】
そして、これにより、専用機器の開発などにコストをかけることなく、エレベーター１００の設置後に汎用的な電気機器４０１を、容易かつ速やかに設置することができる。これにより、電気機器４０１を設置する場合の作業時間の短縮を図るとともにコストを抑えて電気機器４０１を設置することができ、作業者の負担軽減を図ることができる。また、作業時間の短縮を図ることにより、作業のためにエレベーター１００が使用できない時間を短くすることができ、エレベーター１００の利用者の利便性が低下することを抑制できる。
【０１２０】
特に、この発明にかかる実施の形態のエレベーター１００は、電源用の配線が備わっている接栓座２０５であることが好ましい。具体的には、たとえば、ＵＳＢコネクタのレセクタブルによって接栓座２０５を実現することにより、エレベーター１００の設置後であっても制御回路３２０による制御が必要な電気機器４０１を、確実に、容易かつ速やかに設置することができ、電気機器４０１を設置する作業者の負担軽減を図ることができる。
【０１２１】
たとえば、ＵＳＢ  Ｔｙｐｅ−Ａコネクタのレセクタブルは、パーソナルコンピュータなどの汎用的な情報処理装置に設けられていることが多い。近年、このような情報処理装置との接続を確立するため、一端にＵＳＢ  Ｔｙｐｅ−Ａコネクタのプラグを備えたケーブルを携行している利用者が多く存在する。
【０１２２】
このようなケーブルの他端には、利用者が携行する電気機器４０１のコネクタ（レセクタブル）と接続可能なコネクタ（プラグ）が設けられていることが多い。具体的に、近年普及しているスマートフォンと、パーソナルコンピュータや給電用のアダプタと、の接続を確立するため、一端にＭｉｃｒｏ  ＵＳＢコネクタのプラグを備え、他端にＵＳＢ  Ｔｙｐｅ−Ａコネクタのプラグを備えたケーブルを携行している利用者が多く存在する。
【０１２３】
この発明にかかる実施の形態の接栓座２０５を、このようなＵＳＢ  Ｔｙｐｅ−Ａコネクタのレセクタブルによって実現することにより、利用者が携行しているスマートフォンなどの電気機器４０１と電気回路３００とを接続することができる。そして、制御盤１０１を介して管理サーバコンピュータ１５０などの外部装置と接続されている制御回路３２０と、利用者が携行する電気機器４０１と、を接栓座２０５を実現するレセクタブルを介して接続することができる。
【０１２４】
これにより、エレベーター１００のカゴ１０２内のように電波状況が不安定で通信に適していない環境であっても、利用者が携行するスマートフォンなどの電気機器４０１と、管理サーバコンピュータ１５０をはじめとする外部機器との接続を確立することができる。このような接続を確立することにより、たとえば、地震に起因してエレベーター１００の動作が停止した状況における、利用者と外部との通信を確保することができる。これにより、利用者は安心して救助を待つことができ、利用者の利便性の向上を図ることができる。
【０１２５】
また、この発明にかかる実施の形態の接栓座２０５を、たとえば、ＩＥＥＥ  １３９４コネクタ、ＰＳ／２コネクタ、Ｄ−Ｓｕｂコネクタ、ＤＩＮコネクタ、同軸コネクタなどのように、特殊なコネクタのレセクタブルによって実現することにより、当該レセクタブルに無分別に電気機器４０１が接続されることを抑制することができる。これにより、安全性が重視されるエレベーター１００の制御回路３２０や制御盤１０１と、エレベーター１００の利用者が携行する電気機器４０１との通信を制限することができ、制御回路３２０や制御盤１０１に外部から不用意な信号が入力されることを防止して、エレベーター１００の安全性を確保することができる。
【０１２６】
また、この発明にかかる実施の形態のエレベーター１００は、接栓座２０５を介して接続された電気機器４０１と制御回路３２０との間における通信を実現する接栓座２０５が、制御回路３２０から供給される電力を、当該接栓座２０５に接続された電気機器４０１に対して供給することを特徴としている。
【０１２７】
この発明にかかる実施の形態のエレベーター１００によれば、接栓座２０５を介して、当該接栓座２０５に接続された電気機器４０１に対して給電することができるため、エレベーター１００の設置後であっても、エレベーター１００において、監視カメラなどのような画像データを扱う電気機器４０１を容易かつ速やかに設置することができる。具体的には、給電のためのケーブルを通すための、カゴ１０２を貫通する孔を設ける必要がないため、電気機器４０１を容易かつ速やかに設置することができる。
【０１２８】
また、カゴ１０２を貫通する孔を設ける必要がないため、エレベーター１００の設置後にカゴ１０２内に設置した電気機器４０１を撤去する場合は、孔の埋め戻し作業などをおこなうことなく、当該電気機器４０１を取り外すだけでよい。これによって、電気機器４０１を容易かつ速やかに撤去することができる。
【０１２９】
また、この発明にかかる実施の形態のエレベーター１００においては、上記の接栓座２０５に代えて、接栓を備えていてもよい。接栓は、たとえば、互いに離間可能に接合するレセクタブルとプラグによって構成されるコネクタ対のうちの、プラグによって実現することができる。具体的に、このような接栓は、Ｍｉｃｒｏ  ＵＳＢコネクタのプラグやＵＳＢ  Ｔｙｐｅ−Ｃコネクタの公知の各種のプラグによって実現することができる。
【０１３０】
このような接栓を備えたエレベーター１００によれば、別途ケーブルを用いることなく、制御盤１０１を介して管理サーバコンピュータ１５０などの外部装置と接続されている制御回路３２０と、利用者が携行するスマートフォンなどの電気機器４０１と、を接続することができる。これにより、エレベーター１００の動作が停止した際などの非常時に、接続用のケーブルを所持していなくても、利用者が携行するスマートフォンなどの電気機器４０１と、管理サーバコンピュータ１５０をはじめとする外部機器との接続を確立することができる。
【０１３１】
また、エレベーター１００のカゴ１０２内のように電波状況が不安定で通信に適していない環境であっても、利用者が携行するスマートフォンなどの電気機器４０１と、管理サーバコンピュータ１５０をはじめとする外部機器との接続を確立することができる。このような接続を確立することにより、たとえば、地震に起因してエレベーター１００の動作が停止した状況における、利用者と外部との通信を確保することができる。これにより、利用者は安心して救助を待つことができ、利用者の利便性の向上を図ることができる。
【産業上の利用可能性】
【０１３２】
以上のように、この発明にかかるエレベーターは、制御盤と通信が必要な電気機器を設置することができるエレベーターに有用であり、特に、エレベーターの設置後に制御盤と通信が必要な電気機器を設置することができるエレベーターに適している。
【符号の説明】
【０１３３】
１００  エレベーター
１０２  カゴ
２０５  接栓座
３２０  制御回路
【図１】
2019119610.tif 000003
【図２】
2019119610.tif 000004
【図３】
2019119610.tif 000005
【図４】
2019119610.tif 000006
【図５】
2019119610.tif 000007
【図６】
2019119610.tif 000008